(57)【要約】とりわけモバイル装置内で使用される、リムーバブルディスク（Ｄ）用のディスクドライブユニットが、電気モーター（２）で駆動され、ディスク（Ｄ）を動作位置において支持するスピンドル（１）を含む。ディスクドライブユニットはさらに、１つまたは２つの取込機構（４Ａ、４Ｂ）を含み、この取込機構（４Ａ、４Ｂ）は、取り込まれたエネルギーを蓄積するための蓄積機構（５）内にエネルギーを取り込む。蓄積されたエネルギーを段階的にスピンドルへと解放し、ディスク回転の複数回の始動動作を支援するため、解放機構（６）が設けられる。２つの取込機構（４Ａ、４Ｂ）は、それぞれ、ディスクの挿入時においてユーザーにより付与される力学的エネルギーと、ディスク回転の減速時において解放されるエネルギーとを、取り込むようにされている。ディスクドライブユニットの電力消費量は、力学的エネルギーの蓄積と、その段階的な解放とによって低減される。
2006518905.tif 000002
【特許請求の範囲】
【請求項１】
ディスクからのデータの読出しおよび／またはディスクへのデータの書込みを行う装置内、とりわけモバイル装置内で使用される、リムーバブルディスク用のディスクドライブユニットであって、当該ディスクドライブユニット内に配され、前記ディスクを動作位置において回転可能に支持するようにされたスピンドルと、前記ディスクが前記装置内の動作位置へと導かれる際にユーザーにより付与される力学的エネルギーを、取り込むようにされたエネルギー取込機構と、取り込まれた前記力学的エネルギーを解放するようにされた解放機構とを含み、
前記解放機構が、取り込まれた前記エネルギーを前記スピンドルへと解放し、前記ディスクを回転させることを支援するために、前記スピンドルに接続可能とされていることを特徴とするディスクドライブユニット。
【請求項２】
蓄積機構を含み、該蓄積機構の一端が、前記取込機構により取り込まれた前記力学的エネルギーを蓄積するため、前記取込機構に接続されており、別の一端が、蓄積された前記力学的エネルギーを解放するため、前記解放機構に接続されていることを特徴とする請求項１記載のディスクドライブユニット。
【請求項３】
前記解放機構が、蓄積された前記エネルギーを、段階的に解放するようにされていることを特徴とする請求項２記載のディスクドライブユニット。
【請求項４】
前記解放機構が、前記スピンドルと選択的に噛合する解放手段を含んでいることを特徴とする請求項３記載のディスクドライブユニット。
【請求項５】
前記解放手段が、軸回りに回転可能な少なくとも１つの駆動カムを含み、前記スピンドルが、前記解放手段の前記少なくとも１つの駆動カムにより噛合可能な噛合表面を含み、該噛合が、前記スピンドルの加速時において、１つのみの駆動カムが該スピンドルの前記噛合表面と噛合するようになされることを特徴とする請求項４記載のディスクドライブユニット。
【請求項６】
前記スピンドルの前記噛合表面が、被駆動ホイールの実質的に円柱状の外周上に形成されており、前記少なくとも１つの駆動カムが、前記実質的に円柱状の噛合表面と摩擦により噛合するようにされていることを特徴とする請求項５記載のディスクドライブユニット。
【請求項７】
前記解放手段が複数の駆動カムを含んでいることを特徴とする請求項６記載のディスクドライブユニット。
【請求項８】
前記スピンドルの前記噛合表面が、前記解放手段の前記少なくとも１つの駆動カムと噛合可能な、複数の被駆動カム上に形成されていることを特徴とする請求項５記載のディスクドライブユニット。
【請求項９】
前記解放機構が、該解放機構の前記駆動カムを回転に抗してロックし、前記スピンドルの加速が必要なときに該解放機構の前記駆動カムのロックを解除するためのロック手段を含むことを特徴とする請求項５から８いずれか１項記載のディスクドライブユニット。
【請求項１０】
前記ロック手段が、前記解放機構の前記駆動カムと噛合するように形成されたキャッチ部を含んでおり、該噛合は、前記ロック手段が前記駆動カムの回転のロックを解除した際に、該ロック手段の前記キャッチ部が、駆動ホイールの外周に沿って直後にある駆動カムと噛合するようになされることを特徴とする請求項９記載のディスクドライブユニット。
【請求項１１】
前記解放機構が、前記ロック手段を動作させるようにされたアクチュエータを含んでいることを特徴とする請求項９または１０記載のディスクドライブユニット。
【請求項１２】
前記取込機構が、前記ディスクの挿入時において該ディスクと共に移動させられるようにされたギアラックと、前記ディスクの前記挿入時において前記ギアラックと噛合し、駆動シャフトを介して前記蓄積機構または前記解放機構に回転可能に接続されるギアホイールとを含んでいることを特徴とする請求項１から１１いずれか１項記載のディスクドライブユニット。
【請求項１３】
前記駆動シャフトが、該駆動シャフトの一方向の回転のみを可能とするようにされた一方向カップリングに、動作可能に接続されていることを特徴とする請求項１から１２いずれか１項記載のディスクドライブユニット。
【請求項１４】
前記スピンドルの減速時において該スピンドルから力学的エネルギーを取り込むために、該スピンドルに接続可能とされた第２の取込機構を含んでいることを特徴とする請求項１から１３いずれか１項記載のディスクドライブユニット。
【請求項１５】
前記第２の取込機構が、シャフトを介して前記スピンドルに取り付けられた第１の伝達部材と、前記駆動シャフトと共に回転可能となるように、前記駆動シャフトの軸方向に摺動可能とされた第２の伝達部材とを含み、前記第１の伝達部材と前記第２の伝達部材とが、前記スピンドルの回転の減速時にのみ、前記スピンドルから前記駆動シャフトを介して前記蓄積機構へと回転エネルギーを伝達するために噛合することを特徴とする請求項１４記載のディスクドライブユニット。
【請求項１６】
前記第２の取込機構が、摺動可能な前記第２の伝達部材の摺動動作を生じさせるアクチュエータを含んでいることを特徴とする請求項１５記載のディスクドライブユニット。
【請求項１７】
前記蓄積機構は、一端が前記エネルギー取込機構に接続され、別の一端が前記解放機構に接続された、力学的エネルギーを蓄積するようにされた少なくとも１つのばね部材を含んでいることを特徴とする請求項２から１６いずれか１項記載のディスクドライブユニット。
【請求項１８】
前記ばね部材が、たとえば渦巻ばねまたは捩りばねといった、機械的なばね部材であることを特徴とする請求項１７記載のディスクドライブユニット。
【請求項１９】
前記蓄積機構が、該蓄積機構の過負荷を防止するようにされた過負荷防止手段を含むことを特徴とする請求項１８記載のディスクドライブユニット。
【請求項２０】
ディスクからのデータの読出しおよび／またはディスクへのデータの書込みを行う装置内に組み込まれる請求項１から１９いずれか１項記載のディスクドライブユニットであって、前記スピンドルが、前記ディスクのハブに結合されるようにされており、前記スピンドルを回転させるよう動作可能に該スピンドルに接続された、電気モーターを含むことを特徴とするディスクドライブユニット。
【請求項２１】
請求項２０記載のディスクドライブユニットを含むハウジングを有することを特徴とするモバイル装置。
【請求項２２】
ディスクと、請求項１から１９いずれか１項記載のディスクドライブユニットとを含むことを特徴とする、読出／書込装置内で使用されるディスクカートリッジ。
【請求項２３】
とりわけモバイル装置内で使用される、リムーバブルディスク用のディスクドライブユニットであって、当該ディスクドライブユニット内に配され、前記ディスクを動作位置において回転可能に支持するようにされたスピンドルと、力学的エネルギーを取り込むようにされたエネルギー取込機構と、前記力学的エネルギーを蓄積するための蓄積機構と、蓄積された前記力学的エネルギーを解放するようにされた解放機構とを含み、
前記解放機構が、蓄積された前記エネルギーを段階的に解放するようにされていることを特徴とするディスクドライブユニット。
【発明の詳細な説明】
【技術分野】
【０００１】
本発明は、請求項１の前段部分に従う、リムーバブルディスク用のディスクドライブユニットに関するものである。
【背景技術】
【０００２】
この種のディスクドライブユニットは、多くの形態で知られている。この種のディスクドライブの電力消費量は重要な問題であり、特に、それらのディスクドライブがモバイル装置で使用されるものである場合には重要である。これは、かかるモバイル装置では、限られた蓄電量に苦しむことが多いためである。
【０００３】
米国特許第５，５１３，０５５号は、ディスクの挿入時においてユーザーにより付与される力学的なエネルギーに対する蓄積機構を有する、リムーバブルディスク用のディスクドライブユニットを含む装置を開示している。蓄積された力学的エネルギーは、ディスクの取出しの際に、その取出しに必要とされる電力量を低減させるために解放される。
【発明の開示】
【発明が解決しようとする課題】
【０００４】
本発明の１つの目的は、電力消費量がさらに低減させられた、リムーバブルディスク用のディスクドライブユニットを提供することである。
【課題を解決するための手段】
【０００５】
上記の目的を達成するため、本発明に係るディスクドライブユニットは、請求項１の後段部分に記載された特徴によって特徴付けられている。
【０００６】
請求項１に従うディスクドライブユニットでは、解放機構が、蓄積されたエネルギーをスピンドルへと解放し、それによりディスクを回転させることを支援するため、スピンドルに接続可能とされている。ユーザーにより供給される力学的エネルギーによって始動エネルギーの少なくとも一部が与えられるので、かかるエネルギー取込機構および解放機構の使用は、ディスク回転の加速時においてモーターにより消費される電力量を低減させる。
【０００７】
請求項２の形態によれば、取り込まれたエネルギーが任意の所望の時に解放され得るという利点を有する、蓄積機構が設けられる。その解放時までは、エネルギーはその蓄積機構内に蓄積される。
【０００８】
請求項３の形態によれば、解放機構は、蓄積されたエネルギーを段階的に解放するようにされる。かかる解放機構の利点は、ディスクの１回の挿入につき多数回のサイクルに亘ってディスクを回転させることを支援するため、蓄積された力学的エネルギーを、適量ずつに分けられた形態で解放することができる点である。ユーザーにより付与されるこのエネルギーは、通常、スピンドルおよびディスクを数十回加速させるのに十分な量のエネルギーである。この形態は、ディスクドライブが、連続動作と比較して既に包括的なエネルギーの節減を与えているいわゆるバーストモードで動作する装置において、特に有用である。かかるモードにおいては、データは、実効的な高いレートでディスクから読み出され、バッファ内に配される。この動作は数秒しかかからず、その動作の後には、バッファは、より長い時間（たとえば１分）に亘ってディスクからデータを読み出すのに十分な量のデータを含んだ状態となる。１時間の再生時間につき、ディスクは、バッファ時間に応じて約５０回加速されなくてはならない。
【０００９】
本発明の請求項１５に従う形態では、ディスクドライブユニットは、スピンドルおよびディスクの減速時においてスピンドルから力学的エネルギーを取り込むために、スピンドルに接続可能とされた第２の取込機構を含んでいる。かかる第２の取込機構のため、ディスクの回転が、単に１つのバーストサイクルの後に解放されたまま尽きるのではなく、回転するディスクの力学的エネルギーが蓄積機構に蓄積されて、蓄積機構内に蓄積されたエネルギーの量が増分させられる。こうして、より多くの力学的エネルギーを蓄積機構内に蓄積して、電力消費量をさらに低減することが可能となる。
【００１０】
後続のスピンドルの加速時に再利用するために、スピンドルの運動エネルギーを吸収および蓄積するエネルギー取込機構自体は、たとえば米国特許第５，５７２，５０５号および特開平１１−２９６９５６号より知られている。
【００１１】
本発明に係るディスクドライブユニットは、データディスクの読出しおよび／または書込みを行う装置内に組み込まれてもよいし、ディスクのカートリッジ内に組み込まれてもよい。前者の場合には、スピンドルは、ディスクのハブに結合されるようにされ、ディスクドライブユニットは、スピンドルを回転させるよう動作可能にそのスピンドルに接続された、電気モーターを含むものとされる。
【００１２】
後者の場合には、ディスクドライブ装置のスピンドルは、ディスクと一体化される。カートリッジは、読出および／または書込装置のディスクドライブへの、電気的および機械的接続部を有するものとされる。
【００１３】
本発明の上記およびその他の側面は、以下に例として説明する実施形態を参照することにより、明らかとなる。
【発明を実施するための最良の形態】
【００１４】
添付の図面は、ディスクドライブユニットの実施形態を示している。このディスクドライブユニットは、光ディスク等のディスクＤからのデータの読出しおよび／または同様のディスクＤへのデータの書込みを行う装置内で使用されてもよい。このディスクドライブユニットが使用される装置として、とりわけ、モバイルすなわち携帯型装置（たとえば、交換可能な光データディスクが付与された携帯電話）が挙げられる。ディスクは、カートリッジＣ内に収容されていてもよい。モバイル装置は、ディスクドライブユニットが収容されるハウジングを有するものとなる。このハウジングには、挿入位置からディスクドライブユニットのスピンドル回りの動作位置へのディスクの挿入と、かかる動作位置から解放位置へのディスクの取出しとを可能とする開口部が設けられる。
【００１５】
ディスクドライブユニットの１つの特定の適用例では、このユニットは、非常に小さなディスク（たとえば直径３０ｍｍのディスク）を駆動するように設計される。かかるディスクドライブユニットは、たとえば、連続動作と比較してエネルギーを節減するいわゆるバーストモードで動作するものであってもよい。データは、実効的な高いレート（たとえば３３Ｍビット／秒）でディスクから読み出され、バッファ（典型的には８ＭＢ）内に配される。例として、ある特定の適用例におけるデータのユーザーレートは１Ｍビット／秒とされ、ディスクの加速に１秒の時間がかかるようにされ得る。この加速は、静的摩擦ならびに動的摩擦（ベアリング摩擦ならびに空気摩擦）、ディスクならびにモーターの慣性、および電気モーターの電気的段階の調節に起因する、多大なエネルギー損失を生じさせる。加速の後では、ドライブユニットの電力損失は、典型的には１／１０に減少する。この一定速度段階において、約２秒で、バッファにデータが満たされる。その後、モーターは停止させられてもよく、約１分の間、バッファからデータを読み出すことができる。ディスクが１時間の音楽を含んでいるとすると、そのディスクは、再生中において約５０回加速されなくてはならない。
【００１６】
本発明は、力学的エネルギーを用いてディスクの加速を支援することにより、電力消費量を低減させること、特に、スピンドルおよびディスクの加速時における電力消費量を低減させることを提案するものである。
【００１７】
図１は、あるディスクドライブユニット内における、エネルギーの流れを極めて概略的に示した図である。この図には、光ディスクＤを支持し回転させるようにされたスピンドル１、およびこのスピンドル１を回転させるのに用いられる電気モーター２が示されている。電気モーター２は、バッテリー３からエネルギーを受け取る。
【００１８】
上記のとおり、本発明は、力学的エネルギーを用いてスピンドル１およびディスクＤの加速を支援することを提案するものである。この目的のため、ディスクドライブユニットは、力学的エネルギーを取り込むための取込機構４と、取り込まれたエネルギーを蓄積するための蓄積機構５と、スピンドル１の加速を支援するために、蓄積されたエネルギーをスピンドル１へと解放する解放機構６とを含んでいる。好ましくは、蓄積機構５内にある１回の取込分のエネルギーを用いてスピンドル１を複数回加速することが可能となるように、蓄積機構５内に取り込まれたエネルギーは、段階的に解放可能とされる。
【００１９】
図１に示した実施形態は、２つの取込機構４Ａおよび４Ｂを有している。取込機構４Ａは、ディスクドライブユニット内へのディスクＤの挿入時にエネルギーを付与する、ユーザーからのエネルギーを取り込むようにされており、一方、取込機構４Ｂは、減速時においてスピンドル１により付与されるエネルギーを利用するようにされている。
【００２０】
図２および３は、ディスクドライブユニットの１つの実用的な実施形態を、極めて概略的に示した図である。これらの図は、スピンドル１と、ディスクＤの周辺部分とを示している。さらに、これらの図には、取込機構４Ａ、取込機構４Ｂ、蓄積機構５、および解放機構６が示されている。
【００２１】
取込機構４Ａは、ディスク（またはカートリッジ）の挿入に際して動作させられるギアラック７を含んでいる。ディスクがカートリッジ内に収容されている場合には、ディスクＤのカートリッジとギアラック７とは、直接押し付けられて噛合してもよい。剥出し状態のディスクの場合は、ディスクドライブユニットには、ディスクを収容するための引出部が設けられていてもよい。ディスクドライブユニット内へのディスクＤの挿入時においては、ギアラック７はギアホイール８と噛合する。これにより、ギアラック７の並進運動は、ギアホイール８が取り付けられた駆動シャフト９の回転運動へと変換される。便利な形態では、ギアラック７には、ギアラック７が当初位置へ戻される時（すなわちディスクＤが再び取り出される時）に、ギアラック７とギアホイール８との噛合を解除する機構が設けられる。かかるシステム自体は、既に知られている。
【００２２】
駆動シャフト９の一端には、一方向への回転が許され反対方向への回転が防止されるような態様で駆動シャフト９を固定部品に結合する、一方向カップリング１０が付与されている。ここでは、任意の既知のカップリングが使用され得る。駆動シャフト９は、アクチュエータ１５によって、軸方向（図２において上方向）に摺動可能とされていてもよい。駆動シャフトを当初位置に戻すために、クランプ１１が使用されてもよい。
【００２３】
図２はまた、取込機構４Ｂを示している。この取込機構４Ｂは、スピンドル１に取り付けられ回転可能に結合された、シャフト１２を含んでいる。シャフト１２は、第１の伝達部材を含んでおり、この第１の伝達部材は、たとえば、噛合相手の第２の伝達部材と噛合するようにされた摩擦ホイールまたはギアホイール１３である。第２の伝達部材は、たとえば、駆動シャフト９と共に軸方向に摺動可能な摩擦またはギアホイールである。アクチュエータ１５を用いて駆動シャフト９とギアホイール１４とを軸方向に摺動させることにより、ギアホイール１４と、スピンドルシャフト１２上のギアホイール１３とが噛合状態となる。ディスクの加速時および一定速度での回転時においては、クランプ１１のため、ギアホイール１３と１４とは噛合していない状態となる。モーター２が停止され、スピンドル１がもはや駆動されていない状態になると、ギアホイール１３と１４とを噛合させるようにシャフト９が移動させられ、それにより、スピンドル１の回転エネルギーが、駆動シャフト９に伝達されるようになる。
【００２４】
図２および３には、力学的エネルギーを蓄積する蓄積機構５も図示されている。この蓄積機構５には、この例では渦巻ばね１６である機械的なばねが設けられている。この渦巻ばね１６の一端は、この例では過負荷防止手段１７を介して、取込機構４の駆動シャフト９に接続されている。この過負荷防止手段１７は、スリップカップリングその他のいかなる既知の構造のものであってもよい。渦巻ばね１６の軸は、駆動シャフト９の軸と整列させられており、駆動シャフト９の回転は、渦巻ばね１６を巻き上げ、それにより渦巻ばね内にエネルギーを蓄積する。
【００２５】
渦巻ばね１６の他端は、解放機構６に固定されている。この解放機構６は、この例では、渦巻ばね１６が固定された駆動ホイール１８等の解放手段を含んでいる。駆動ホイールは、渦巻ばね１６の軸および駆動シャフト９と整列させられた、軸１９回りに回転可能とされている。駆動ホイール１８は、駆動ホイール１８の周縁に等間隔で配された複数の駆動カム２０を含んでいる。この複数の駆動カム２０は、スピンドル１に固定された被駆動ホイール２３の、実質的に円柱状の外周上の噛合表面２２と噛合するようにされた、外側摩擦表面２１を有する。解放機構６はさらに、ロック手段２４を含んでいる。このロック手段２４は、この例では、一端において回転軸２６回りに枢軸回転可能とされ、かつ他端においてキャッチ部２７を含む、アーム２５を含んでいる。キャッチ部２７は、駆動ホイール１８の外周上に配された駆動カム２０の後方を引っ掛けて捕捉するようにされている。駆動カム２０の１つを捕捉または解放するようにロック手段２４を動作させるため、ロック手段２４には、ソレノイドその他のアクチュエータ２８が設けられている。この例では、回転軸２６の軸は、駆動ホイール１８の軸１９と平行に走っている。
【００２６】
ディスクドライブユニットおよび／またはディスクドライブユニットを含む装置は、適切な動作のためディスクドライブユニットの各部分を制御する、ＣＰＵおよびソフトウェアを含むこととなる。
【００２７】
ディスクドライブユニットの動作は、以下のとおりである。
【００２８】
ディスクがディスクドライブユニットにロードされると、ギアラック７が移動させられ、ギアホイール８が回転させられる。すると、駆動シャフト９は、渦巻ばね１６が巻き上げられるような方向に回転する。スピンドル１およびそのスピンドル１により支持されたディスクを回転させるため、ディスクドライブユニットが始動されると、ロック手段２４のアクチュエータ２８が作動させられ、アーム２５が回転軸２６回りに枢軸回転する。その結果、キャッチ部２７が駆動カム２０から解放され、駆動ホイール１８に加えられていた渦巻ばね１６の応力が、その駆動ホイール１８を回転させ、駆動カム２０のうちの１つの摩擦表面２１が、被駆動ホイール２３の噛合表面２２と噛合し、それによりスピンドル１が駆動ホイール１８によって駆動される。結果として、スピンドル１が加速され、かつ電気モーター２も作動させられるため、スピンドル１は、ディスクＤからのデータの読出しまたはディスクＤへのデータの書込みを行うための、通常の動作回転速度に到達させられる。好ましくは、電気モーター２は、スピンドルの加速中または加速後に始動させられる。これは、こうすることがモーターの制御を容易とし（静止状態では、電子回路は極の相対的な位置が分からないため、始動が難しい）、電力消費量をさらに低減させるためである。
【００２９】
駆動カム２０は、ロック手段のキャッチ部２７による解放後まもなく、再びロック位置に到達させられ（たとえば、ソレノイド２８の給電停止、およびキャッチ部２７を戻すばねにより）、ロック手段２４に到達した次の駆動カム２０がキャッチ部２７により捕捉され、駆動ホイール１８が停止させられる。こうすることにより、渦巻ばね１６のエネルギーを用いてスピンドル１を複数回（好ましくは数十回）加速することができるように、渦巻ばね１６のエネルギーを段階的に解放することが可能となる。
【００３０】
ディスクドライブユニットの電気モーター２の給電が停止されると、駆動シャフト９は軸方向に移動させられ、それにより、ギアホイール１３と１４とが互いに噛合し、スピンドル１の回転エネルギーが駆動シャフト９に伝達される。駆動シャフト９の回転により、渦巻ばね１６は、ある程度（さらに）巻き上げられる。その結果、蓄積機構５によりスピンドル１に付与された加速エネルギーの一部が、蓄積機構５に戻される。
【００３１】
本発明に従う機構は、ディスクドライブユニットのエネルギー消費量を顕著に低減させ、その結果、そのディスクドライブユニットが搭載されているモバイル装置のバッテリーの持続時間を長くする。
【００３２】
図４は、駆動シャフト／スピンドル構造の１つの変更実施形態の構造を示した図である。この例では、駆動ホイール１８は１つの駆動カム２９を有する一方、被駆動ホイール２３は複数の被駆動カム３０を有する。被駆動カム３０は、駆動カム２９により噛合される噛合表面３１を有している。この実施形態では、駆動ホイール１８と被駆動ホイール２３との間の力の伝達は、摩擦接触に基づくものではなく、２つのホイールの間に突当接触（ｉｍｐｉｎｇｉｎｇ  ｃｏｎｔａｃｔ）がある（力ではなくむしろ形状に基づく噛合）。この実施形態では、前述の実施形態と同様にロック手段その他の手段による規定によって、各駆動段階において、駆動ホイール１８が３６０°回転する。駆動カム２９は、被駆動カム３０に突き当たるまでに半回転分より多く回転するかもしれず、それにより、駆動カム２９が被駆動カムに突き当たったときに駆動カム２９は速いスピードを有し、したがって高速の加速が得られる。また、たとえば２つの駆動カム２９を有する、駆動ホイール１８を提供することも可能である。あるいは、スピンドルまたは被駆動ホイール２３に対称的な態様で噛合するため、スピンドル１に対して対称的に配された２つの駆動シャフト９を用いてもよい。この形態によれば、スピンドルに対して対称的なトルクの伝達がなされるので、ベアリング損失および摩耗に起因するエネルギー損失が低減させられる。
【００３３】
図４にはさらに、解放機構６の駆動カム２９の軸１９が、エネルギー取込機構４Ａの駆動シャフト９と整列させられていないことが示されている。この実施形態では、ばね１６は伝達部材３２に固定されている。この伝達部材３２は、駆動カム２９の軸１９上の噛合相手の伝達部材３３と噛合している。この構造は、ばね１６の巻上げを解きすぎることなしに、駆動カムの速いスピードを可能とする。
【００３４】
図４はさらに、取込部材３５と、捩りばね３６の形態を有する蓄積機構と、さらに図示しない解放機構とを含む、取出機構３４を示している。ディスク（カートリッジ）を装置から取り出すためのかかる取出機構自体は、従来技術より知られている。
【００３５】
図５は、ディスクドライブユニットの解放機構６の、さらに別の１つの変更実施形態を示している。この解放機構６は、図２および３と同様の、噛合表面２２を含む被駆動ホイール２３を含んでいる。駆動ホイール１８またはスピンドル１９は、板ばね３８その他の可撓性部材を介して、スピンドル１９または駆動ホイール１８に接続された駆動カム３７を含んでいる。この板ばね３８その他の可撓性部材は、駆動カム３７が、被駆動ホイール２３の噛合表面２２と摩擦により噛合することを可能とする。ロック手段２４のキャッチ部２７は、この例では駆動カム３７によって、駆動ホイールを捕捉および解放するようにされている。この解放機構は、スピンドル１への円滑なエネルギーの解放を可能とする。
【００３６】
以上の説明より、本発明は、極めて低いエネルギー消費量を有するディスクドライブユニットを提供することが明らかである。
【００３７】
本発明は、図面に示され上記で説明された実施形態に限定されるものではなく、特許請求の範囲による本発明の範囲内において、様々な変更を行うことが可能である。上記に説明した様々な実施形態の特徴を組み合わせてもよく、また、特定の特徴部分を代替部分によって置き換えてもよい。
【００３８】
明細書および特許請求の範囲において、「１つの」との語の使用は、その要素が複数であることを排除するものではなく、「備える」または「含む」との表現は、さらなる要素または工程の存在を排除するものではない。単一のプロセッサまたはユニットが、特許請求の範囲に記載されたいくつかの手段の機能を満たしていてもよい。
【００３９】
変更形態の構造の一例として、駆動シャフトに代えて、スピンドルのシャフトを軸方向に摺動可能とし、それにより、第２の取込機構が、蓄積機構と噛合しかつその噛合が解除されるようにすることも可能である。平板渦巻ばね（これは非常にコンパクトであり、したがってモバイル装置への応用に非常に適している）に代えて、捩りばね等の代替の機械的なばねを用いることが可能であり、あるいは空気圧ばね等を用いることも可能である。ディスクドライブユニットは、動作位置から取出位置へとディスクを取り出すための別個の取出機構を有していてもよいが（図４参照）、この取出機構は、本発明に従うエネルギー取込および蓄積機構と一体化されてもよい。さらには、取り込まれたエネルギーがスピンドルに直接伝達されるように、蓄積機構を割愛して、取込機構と解放機構とを直接結合することも考えられる。その場合、スピンドルの回転は、ディスクの挿入時において直ちに開始されなくてはならない。
【００４０】
１つの変更実施形態では、ディスクドライブユニットは、モバイル装置内ではなく、モバイル装置内で使用されるディスクのカートリッジ内に配される。エネルギー取込機構は、ディスクカートリッジのモバイル装置内への挿入に際して蓄積機構に取込みを行うため、モバイル装置の一部を噛合させる手段を含む。かかる手段は、装置内においてディスクを露出させるためのカートリッジの開口部分に関して知られている。モバイル装置内のＣＰＵによる、カートリッジ内のアクチュエータの制御のため、電気接触部が存在するべきである。
【００４１】
現在のところ好ましい実施形態においては、ディスクは、光データディスクである。しかしながら、本発明は、あらゆる種類のディスクに対して利用可能である点を理解されたい。たとえば、本発明は、強誘電性ディスク、磁気ディスク、光磁気ディスク、光ディスク、近接場ディスク、活性電荷蓄積ディスク（ａｃｔｉｖｅ  ｃｈａｒｇｅ  ｓｔｏｒａｇｅ  ｄｉｓｋ）、または、これらの技術もしくは任意の他の読出／書込技術の組合せを用いたその他のディスクに対しても、利用可能である。  
【図面の簡単な説明】
【００４２】
【図１】本発明に係るディスクドライブユニットの１つの実施形態における、エネルギーの流れを表した図
【図２】本発明に係るディスクドライブユニットの１つの実施形態を、極めて概略的に示した分解側面図
【図３】図２のディスクドライブユニットの一部の平面図
【図４】ディスクドライブユニットの解放機構の１つの変更実施形態を、極めて概略的に示した図
【図５】解放機構のみの１つの変更実施形態を示した、図４に類似の図
【図１】
2006518905.tif 000003
2006518905.tif 000004
【図４】
2006518905.tif 000005
【図５】
2006518905.tif 000006
【国際調査報告】
2006518905.tif 000007
2006518905.tif 000008
2006518905.tif 000009